(57)【要約】【課題】管路内の残存スペースが狭くなっている場合であっても、第１先端接続体と第２先端接続体が管路内を滑らかに進行し、また、管路の接続部分に生じている段差等に第１先端接続体が衝突したり、強く接触した場合であっても、柔軟性を有する傘状体の傾動、湾曲および反転により第１先端接続体が管路内を滑らかに進行することのできる挿通ロッド用接続具を提供する。【解決手段】管路の一端から挿入される第１先端接続体と、管路の他端から挿入されて管路の途中において前記第１先端接続体に引っ掛けて第１先端接続体に接続される第２先端接続体とを備える挿通ロッド用接続具であって、前記第１先端接続体は、ロッドの先端部近傍に、傾動・湾曲・反転が自在である傘状体が取り付けられ、前記第２先端接続体の先端には、前記第１先端接続体の傘状体に引っ掛ける複数のフックが取り付けられている。【選択図】図１
2007049790.tif 000002
【特許請求の範囲】
【請求項１】
管路の一端から挿入される第１先端接続体と、管路の他端から挿入されて管路の途中において前記第１先端接続体に引っ掛けて第１先端接続体に接続される第２先端接続体とを備える挿通ロッド用接続具であって、
前記第１先端接続体は、ロッドの先端部近傍に、傾動・湾曲・反転が自在である傘状体が取り付けられ、前記第２先端接続体の先端には、前記第１先端接続体の傘状体に引っ掛ける複数のフックが取り付けられていることを特徴とする挿通ロッド用接続具。
【請求項２】
前記第１先端接続体の傘状体は、柔軟性を有する複数本の芯材がロッドの軸方向に回動可能に取り付けられ、前記芯材間に網目状のネットが張り渡されている請求項１に記載の挿通ロッド用接続具。
【請求項３】
前記第１先端接続体の傘状体は、柔軟性を有する複数本の芯材の基端部が、前記ロッドの先端部近傍に形成された取付け溝に固定部材と取付ピンにより軸方向に回動可能に取り付けられている請求項１または２に記載の挿通ロッド用接続具。
【請求項４】
前記第１先端接続体の傘状体は、少なくとも３本の芯材を備えている請求項１乃至３のいずれかに記載の挿通ロッド用接続具。
【請求項５】
前記第１先端接続体の傘状体は、複数本の芯材間に、横糸と縦糸により網目状に形成されたネットが張り渡されている請求項１乃至４のいずれかに記載の挿通ロッド用接続具。
【請求項６】
前記第２先端接続体のフックは、鉤状に形成されている請求項１に記載の挿通ロッド用接続具。
【請求項７】
前記第２先端接続体のフックは、ロッドの先端部において、円周状に取り付けられている請求項１または６に記載の挿通ロッド用接続具。
【発明の詳細な説明】
【技術分野】
【０００１】
本発明は、地中管路ケーブルピット、ケーブルダクト等に電線等を通す作業に用いる、挿通ロッド用接続具に関するものである。具体的には、地中管路に電線等を通す作業において使用する呼び線を地中管路に引き込むために用いる挿通ロッド同士を、地中管路の中ほどで接続するものである。
【背景技術】
【０００２】
従来において、地中に埋設された管路に電力用のケーブルや通信用ケーブル、或いは、光ファイバーケーブル等を挿通する場合は、予め呼び線を管路に通しておき、この呼び線にケーブルを接続して管路の一端側から引き出すことにより、管路に各種のケーブルを挿通させていた。
【０００３】
この呼び線を通す場合には、ＦＲＰ等により形成された挿通ロッドを管路の一端から入れ、管路の他端に呼び線を引き込んでいた。この際、管路が、例えば、２００メートル以上の比較的に長い場合は、管路の両端から挿通ロッドを別々に挿入し、両挿通ロッドを管路の途中で引っ掛けて挿通ロッド同士を接続した後、管路の一端側から挿通ロッド同士を引き出すことにより、管路に呼び線を通していた。
【０００４】
このときに挿通ロッド用接続具が使用されるが、この種の挿通ロッド用接続具は、例えば、図１０（ａ）に示すように、複数の輪体を組み付けて全体を細長立体状に形成した籠体３１を取り付けた第１先端接続体３０と、この第１先端接続体３０に引っ掛けて接続するために、図１０（ｂ）に示すように、鉤状のフック４１を複数取り付けた第２先端接続体４０を備えるものであった。
【０００５】
この他、例えば、特開平１１−２４３６１３号公報に示すような挿通ロッド用接続具が存在する。これは、管路の一端から挿入される第１先端接続体と前記管路の他端から挿入されて前記管路の途中で前記第１先端接続体に引っ掛け接続される第２先端接続体とを備える挿通ロッド用接続具において、前記第１先端接続体が、ベース部と、曲げ部を有した複数の引っ掛け線材を互いに並べて前記ベース部に突設されたフック受けとを備え、前記曲げ部を挿入方向先端に配置してなり、前記第２先端接続体が、ベース部と、曲げ部に引っ掛けられるフックを挿入方向先端に有すると共に前記ベース部の幅方向に異なる複数の位置に突設された複数本のフック棒とを備えたものである。
【特許文献１】特開平１１−２４３６１３号公報
【発明の開示】
【発明が解決しようとする課題】
【０００６】
しかしながら、上述した従来の挿通ロッド用接続具は、図１０（ａ）に示すように、第１先端接続体３０において、複数の輪体を組み付けて全体を細長立体状に形成した籠体３１が金属を用いて形成されており、この籠体３１に第２先端接続体４０のフック４１を引っ掛けて接続するためには、籠体３１が相当の堅牢性を備える必要があるため、管路の径が小さい場合には、管路の内壁に籠体３１が衝突して第１先端接続体３０が進むことができず、挿通ロッド用接続具を使用できない事態が生じていた。
【０００７】
また、図１０（ｂ）に示すように、比較的に大きな径の管路であっても、複数のケーブルを通している場合があり、そのときには管路内に他のケーブル５０が既に敷設されているため、管路内の残存スペースが狭くなってしまい、結果的に管路の内壁に籠体３１が衝突して第１先端接続体３０が進むことができず、挿通ロッド用接続具を使用できない事態も生じていた。
【０００８】
さらに、地中管路の場合、埋設部分が長くなると管路を複数接続して構成しているため、管路は地ずれ等の外的影響を非常に受け易い状態となっている。そのため、図１０（ｂ）に示すように、管路の接続部分において段差が生じてしまい、管路内における第１先端接続体３０の通過スペースが狭くなってしまう事態も生じていた。
【０００９】
同様に、管路の湾曲部分においても、第１先端接続体３０の通過スペースが狭くなってしまう事態が生じていた。
【００１０】
一方、特開平１１−２４３６１３号公報に示す挿通ロッド用接続具においては、第１先端接続体のフック受けが第２先端接続体のフックを引っ掛けて接続するためには、フック受けが相当の堅牢性を備える必要があるため、管路の径が小さい場合には、管路の内壁にフック受けが衝突して第１先端接続体が進むことができず、挿通ロッド用接続具を使用できない事態が生じていた。
【００１１】
また、第２先端接続体の複数のフックを、横方向に並設しているので、特に、管路内の横方向に残存スペースが必要となっていた。そのため、第２先端接続体を構成する複数のフックが、管路の接続部分に生じている段差に衝突したり、管路の湾曲部分において強く接触して、挿通ロッド用接続具を使用できない事態も生じていた。
【００１２】
そこで、本発明は、如上のような従来に存在した問題点を解消するために創出されたもので、管路内の残存スペースが狭くなっている場合であっても、第１先端接続体と第２先端接続体が管路内を滑らかに進行し、また、管路の接続部分に生じている段差等に第１先端接続体が衝突したり、強く接触した場合であっても、柔軟性を有する傘状体の傾動、湾曲および反転により第１先端接続体が管路内を滑らかに進行することのできる挿通ロッド用接続具を提供することを目的とする。
【課題を解決するための手段】
【００１３】
本発明は、管路の一端から挿入される第１先端接続体と、管路の他端から挿入されて管路の途中において前記第１先端接続体に引っ掛けて第１先端接続体に接続される第２先端接続体とを備える挿通ロッド用接続具であって、前記第１先端接続体は、ロッドの先端部近傍に、傾動・湾曲・反転が自在である傘状体が取り付けられ、前記第２先端接続体の先端には、前記第１先端接続体の傘状体に引っ掛ける複数のフックが取り付けられていることで、上述した課題を解決した。
【００１４】
また、前記第１先端接続体の傘状体は、柔軟性を有する複数本の芯材がロッドの軸方向に回動可能に取り付けられ、前記芯材間に網目状のネットが張り渡されていることで、同じく上述した課題を解決した。
【００１５】
さらに、前記第１先端接続体の傘状体は、柔軟性を有する複数本の芯材の基端部が、前記ロッドの先端部近傍に形成された取付け溝に固定部材と取付ピンにより軸方向に回動可能に取り付けられていることで、同じく上述した課題を解決した。
【００１６】
また、前記第１先端接続体の傘状体は、少なくとも３本の芯材を備えていることで、同じく上述した課題を解決した。
【００１７】
加えて、前記第１先端接続体の傘状体は、複数本の芯材間に、横糸と縦糸により網目状に形成されたネットが張り渡されていることで、同じく上述した課題を解決した。
【００１８】
また、前記第２先端接続体のフックは、鉤状に形成されていることで、同じく上述した課題を解決した。
【００１９】
この他、前記第２先端接続体のフックは、ロッドの先端部において、円周状に取り付けられていることで、同じく上述した課題を解決した。
【発明の効果】
【００２０】
本発明は、管路の一端から挿入される第１先端接続体と、管路の他端から挿入されて管路の途中において前記第１先端接続体に引っ掛けて第１先端接続体に接続される第２先端接続体とを備える挿通ロッド用接続具であって、前記第１先端接続体は、ロッドの先端部近傍に、傾動・湾曲・反転が自在である傘状体が取り付けられ、前記第２先端接続体の先端には、前記第１先端接続体の傘状体に引っ掛ける複数のフックが取り付けられていることから、第１先端接続体と第２先端接続体の接続が極めて容易である。
【００２１】
そして、前記第１先端接続体は、ロッドの先端部近傍に、傾動・湾曲・反転が自在である傘状体が取り付けられているため、例えば、管路内に第１先端接続体が挿入され、管路内を前方に進行するときは、傘状体の芯材の全体が、管路内の残存スペースに合わせて傾動・湾曲し、第１先端接続体のロッドの先端部は、複数の芯材により支えられて管路内において浮いた状態となる。その    ため、第１先端接続体は、管路内をスムーズに移動できる。
【００２２】
また、第１先端接続体が、段差のある箇所を通過する場合は、傘状体の芯材の全体が、管路内の残存スペースに合わせて傾動・湾曲するので、傘状体が段差に引っ掛からずにスムーズに移動できる。
【００２３】
さらに、前記第１先端接続体の傘状体は、柔軟性を有する複数本の芯材がロッドの軸方向に回動可能に取り付けられ、前記芯材間に網目状のネットが張り渡されていることから、第１先端接続体の引き抜きをスムーズに行うことができる。
【００２４】
すなわち、第１先端接続体と第２先端接続体が接続された後、第１先端接続体が管路内を後方に進行するときは、管路に生じている段差に芯材の先端部が衝突して引っ掛かってしまう。
【００２５】
この状態において、第１先端接続体をさらに後方に進行させると、柔軟性を有する芯材は、その中間部分において、第１先端接続体の進行方向とは逆向きに折れ曲がり、芯材の先端部近傍が反転する。そして、この状態において、さらに第１先端接続体を後方に進行させると、傘状体の全体が、第１先端接続体の引き抜き方向とは逆向きに反転する。その結果、第１先端接続体の引き抜きが極めてスムーズに行われるのである。
【００２６】
この他、前記第１先端接続体の傘状体は、柔軟性を有する複数本の芯材の基端部が、前記ロッドの先端部近傍に形成された取付け溝に固定部材と取付ピンにより軸方向に回動可能に取り付けられているので、芯材の傾動と傘状体の反転をスムーズに行うことができる。
【００２７】
また、前記第１先端接続体の傘状体は、少なくとも３本の芯材を備えているので、傘状体の立体形状を常に維持できる。さらに、管路内において、第１先端接続体が浮いた状態も維持することがきる。
【００２８】
加えて、前記第１先端接続体の傘状体は、複数本の芯材間に、横糸と縦糸により網目状に形成されたネットが張り渡されていることから、第２先端接続体のフックを、第１先端接続体の傘状体に確実に引っ掛けることができる。
【００２９】
また、前記第２先端接続体のフックは、鉤状に形成されているので、第１先端接続体の傘状体に引っ掛けた第２先端接続体のフックが、不意に傘状体から外れてしまう事態の発生を確実に阻止できる。
【００３０】
さらに、前記第２先端接続体のフックは、ロッドの先端部において、円周状に取り付けられているので、第１先端接続体と第２先端接続体を確実に接続することができる。
【発明を実施するための最良の形態】
【００３１】
以下に、本発明に係る挿通ロッド用接続具を実施するための最良の形態を、図面を参照して説明する。
【００３２】
本発明に係る挿通ロッド用接続具は、図１に示すように、管路１の一端から挿入される第１先端接続体１０と、管路１の他端から挿入されて管路１の途中において第１先端接続体１０に引っ掛けて第１先端接続体１０に接続される第２先端接続体２０を備えている。
【００３３】
この挿通ロッド用接続具は、管路１の途中において第１先端接続体１０と第２先端接続体２０が接続された後、第１先端接続体１０と第２先端接続体２０が管路１の一端側に引き出され、第２先端接続体２０のロッド２１の後端に接続された図示しないケーブルを管路１内に挿通させるものである。
【００３４】
そして、第１先端接続体１０は、図１に示すように、ロッド１１の先端部１１ａ近傍に、傾動・湾曲・反転が自在である傘状体１２が取り付けられ、第２先端接続体２０の先端には、第１先端接続体１０の傘状体１２に引っ掛ける複数のフック２２が取り付けられている。
【００３５】
第１先端接続体１０の傘状体１２に引っ掛けるフック２２は、鉤状に形成され、ロッド２１の先端部１１ａにおいて、円周状に取り付けられている。
【００３６】
第１先端接続体１０におけるロッド１１の先端部１１ａの近傍に取り付けた傘状体１２は、図２・図４に示すように、ＦＲＰ等の柔軟性を有する材料から形成された複数本の芯材１３，１３，１３・・・により構成されている。
【００３７】
この複数本の芯材１３，１３，１３・・・は、ロッド１１の軸方向に回動可能に取り付けられており、この芯材１３間に網目状のネット１４が張り渡されている。尚、図２に示す傘状体１２は、１２本の芯材１３を備えているが、これに限定されることは無い。例えば、芯材１３によりネット１４を立体的に張り渡すために、８本以上の芯材１３を備えていればよい。また、芯材１３を比較的に硬い素材を用いて形成し、図３に示すように、３本の芯材１３によりネット１４を立体的に張り渡すものであってもよい。
【００３８】
芯材１３のロッド１１への取り付けは、図４乃至図６に示すように、ロッド１１の取付溝１１ｂにおいて、芯材１３の基端部１３ａが２個の固定部材１５により挟み込まれ、２個の固定部材１５と芯材１３の基端部１３ａに取付ピン１６を貫挿させている。これにより、芯材１３をロッド１１へ回動可能に取り付けている。
【００３９】
そして、芯材１３は、図４に示すように、その基端部１３ａにおいて、センター位置（ロッド１１に対して直角位置）に対して、およそ４５度まで傾動できるようになっている。このように、芯材１３の基端部１３ａが傾動することにより、傘状体１２の全体が反転できるものである。芯材１３が傾動する角度は、芯材１３に当接する取付溝１１ｂの上端部の位置により規制される。従って、芯材１３の傾動する角度を調整する場合は、取付溝１１ｂの上端部の幅を適宜変更すればよい。
【００４０】
また、図７・図８に示すように、芯材１３の基端部１３ａを、薄い板状に形成した２個の固定部材１５により挟み込み、比較的に近接した状態にある２個の固定部材１５と芯材１３の基端部１３ａに取付ピン１６を貫挿させて、芯材１３をロッド１１に取り付けてもよい。
【００４１】
さらに、この芯材１３は、柔軟性のある材料で形成されているので、芯材１３の基端部１３ａから先端部１３ｂにかけて、図４中の二点鎖線で示すように、簡単に変形するようになっている。
【００４２】
そのため、第１先端接続体１０が狭い管路１に挿入された場合であっても、図１に示すように、管路１の内径に応じて芯材１３が変形するので、段差１ａの生じている管路１においても第１先端接続体１０が前方へ自在に進行できるものである。
【００４３】
また、ロッド１１の先端部１１ａが半球状に形成されているので、ロッド１１の進行方向に対しての抵抗が少なく、湾曲している管路１においても第１先端接続体１０が自在に前方へ進行できるものである。
【００４４】
また、この芯材１３に張り渡すネット１４は、カーボンファイバーのような、軽くて強靱であり、しなやかな材料で形成されている。具体的には、横糸１４ａと縦糸１４ｂにより、網目状に形成されている。この横糸１４ａと縦糸１４ｂの本数については、特に限定されないが、傘状体１２の立体形状を維持するために、図３に示すように、少なくとも、横糸１４ａは４本、縦糸１４ｂは３本が必要となる。
【００４５】
このように構成された挿通ロッド用接続具の動作を、図９を参照して詳述する。
【００４６】
先ず、図９（ａ）に示すように、管路１内に他のケーブル２が敷設されており、管路１内の残存スペースが少ない状態の管路１内に第１先端接続体１０が挿入され、前方に進んで段差１ａのある箇所を通過する場合は、傘状体１２の芯材１３の全体が、管路１内の残存スペースに合わせて傾動・湾曲する。このとき、第１先端接続体１０のロッド１１の先端部１１ａは、複数の芯材１３により支えられて管路１内において浮いた状態となる。そして、図中の右方向に第１先端接続体１０が進行する場合は、そのままスムーズに移動する。
【００４７】
その後、第１先端接続体１０と第２先端接続体２０が接続された後、第１先端接続体１０と第２先端接続体２０が図中の左方向に進行する場合は、図９（ａ）に示すように、管路１に生じている段差１ａに芯材１３の先端部１３ｂが衝突して引っ掛かってしまう。
【００４８】
この状態において、さらに図中の左方向にロッド１１を引くと、図９（ｂ）に示すように、柔軟性を有する芯材１３は、その中間部分において、ロッド１１の引き抜き方向とは逆向きに折れ曲がり、先端部１３ｂ近傍が反転する。そして、この状態において、さらに図中の左方向にロッド１１を引くと、図９（ｃ）に示すように、傘状体１２の全体が、ロッド１１の引き抜き方向とは逆向きに反転する。その結果、ロッド１１の引き抜きが極めてスムーズに行われるのである。
【産業上の利用可能性】
【００４９】
本発明は、管路内の残存スペースが狭くなっている場合であっても、第１先端接続体と第２先端接続体が管路内を滑らかに進行し、また、管路の接続部分に生じている段差等に第１先端接続体が衝突したり、強く接触した場合であっても、柔軟性を有する傘状体の傾動、湾曲および反転により第１先端接続体が管路内を滑らかに進行することのできる挿通ロッド用接続具として、種々の管路に広く利用されるものである。
【図面の簡単な説明】
【００５０】
【図１】本発明に係る挿通ロッド用接続具の使用状態を示す側面図である。
【図２】図１の挿通ロッド用接続具における第１先端接続体のネットの取付け状態を示す正面図である。
【図３】図１の挿通ロッド用接続具における第１先端接続体のネットの他の実施例を示す正面図である。
【図４】図１の挿通ロッド用接続具における第１先端接続体の芯材の取付け状態を示す側面図である。
【図５】図１の挿通ロッド用接続具における第１先端接続体の芯材の取付け状態を示す斜視図である。
【図６】図１の挿通ロッド用接続具における第１先端接続体の芯材の取付け状態を示す断面図である。
【図７】挿通ロッド用接続具における第１先端接続体の芯材の他の実施例を示す斜視図である。
【図８】挿通ロッド用接続具における第１先端接続体の芯材の他の実施例を示す断面図である。
【図９】図１の挿通ロッド用接続具の傘状体の反転動作を示すもので、（ａ）は管路に生じている段差に芯材の先端部が衝突して引っ掛かっている状態の側面図、（ｂ）は芯材の中間部分において、ロッドの引き抜き方向とは逆向きに折れ曲がり、先端部近傍が反転している状態の側面図、（ｃ）は傘状体の全体が、ロッドの引き抜き方向とは逆向きに反転している状態の側面図である。
【図１０】従来の挿通ロッド用接続具の構成を示すもので、（ａ）は全体を細長立体状に形成した第１先端接続体の籠体の側面図、（ｂ）は管路の内壁や段差部分に籠体が衝突して第１先端接続体が前方へ進むことができず、第２先端接続体と接続できない状態を示した側面図である。
【符号の説明】
【００５１】
１      管路
１ａ      段差
２      他のケーブル
１０      第１先端接続体
１１      ロッド
１１ａ      先端部
１１ｂ      取付溝
１２      傘状体
１３      芯材
１３ａ      基端部
１３ｂ      先端部
１４      ネット
１４ａ      横糸
１４ｂ      縦糸
１５      固定部材
１６      取付ピン
２０      第２先端接続体
２１      ロッド
３０      第１先端接続体
３１      籠体
４０      第２先端接続体
４１      フック
５０      他のケーブル
【図１】
2007049790.tif 000003
【図２】
2007049790.tif 000004
【図３】
2007049790.tif 000005
【図４】
2007049790.tif 000006
【図５】
2007049790.tif 000007
【図６】
2007049790.tif 000008
【図７】
2007049790.tif 000009
【図８】
2007049790.tif 000010
【図９】
2007049790.tif 000011
【図１０】
2007049790.tif 000012